(57)【要約】【課題】点光源を主走査方向にアレイ状に並べた光源の場合でも、原稿面で良好な照度分布を得ること、及び、正反射光が撮像素子に入った際に画像が劣化することを低減させ、良好な画像を得る。【解決手段】列設された複数個のＬＥＤ発光素子７０１ａ，７０１ｂを備え直線状の照明領域を照明するＬＥＤアレイ７０２ａを、その光照射光軸Ｏａ，Ｏｂが前記照明領域の上の点Ｃで交差するように照明領域を挟んで２台配置する。また、ＬＥＤアレイ７０２ａ，７０２ｂには、ＬＥＤ発光素子７０１ａ，７０１ｂによる照明範囲を制限したり、照度むらを低減する遮光部材６０１ａ，６０１ｂを配置したりすることができる。【選択図】図５
2008191194.tif 000002
【特許請求の範囲】
【請求項１】
列設された複数個の発光素子を備え、直線状の照明領域を照明する発光素子アレイを、その光照射光軸が前記照明領域の上の点で交差するように照明領域を挟んで２台配置することを特徴とする照明装置。
【請求項２】
前記発光素子の発光面と前記照明領域との間に、前記発光面の光射出側に突出し、且つ、前記発光素子からの光束のうち、すくなくとも一部を遮る遮光部材を配置したことを特徴とする請求項１記載の照明装置。
【請求項３】
前記遮光部材は、前記列設された発光素子上と該発光素子のピッチ間で、形状を変化させていることを特徴とする請求項２記載の照明装置。
【請求項４】
前記遮光部材は、原稿面に対し、傾いた角度で配置されていることを特徴とする請求項２又は３記載の照明装置。
【請求項５】
前記遮光部材の発光素子側の面を前記発光素子からの発光色の補色とすることを特徴とする請求項２乃至４のいずれか記載の照明装置。
【請求項６】
前記遮光部材の照明領域側の面を前記発光素子からの発光色の補色とすることを特徴とする請求項２乃至４のいずれか記載の照明装置。
【請求項７】
前記遮光部材が、前記発光素子と接していることを特徴とする請求項４乃至６のいずれか記載の照明装置。
【請求項８】
請求項１乃至７のいずれかに記載の照明装置を備えることを特徴とする画像読取装置。
【請求項９】
請求項８に記載の画像読取装置を備えることを特徴とする画像形成装置。
【発明の詳細な説明】
【技術分野】
【０００１】
本発明は照明装置、画像読取装置、画像形成装置に係り、特に列設された複数個の発光素子を備え直線状の照明領域を照明する発光素子アレイを備えた照明装置、これを備えた画像読取装置、画像形成装置に関する。
【背景技術】
【０００２】
縮小光学系の画像読取装置として、原稿に光を照射し、原稿の反射光をＣＣＤ素子、ＣＭＯＳ素子を備えた撮像素子であるラインイメージセンサで読み取るものがある。このような画像読取装置は照明装置を備えており、該照明装置として、光源として円筒形状のキセノンランプを有するものがある。
【０００３】
このような画像読取装置では、キセノンランプの照射光は発光素子からの光を通過させるコンタクトガラス上の原稿に照射され、原稿の拡散反射光がレンズ等の光学素子を介して前記撮像素子に導かれ、撮像素子で画像信号を電気信号に変換する。
【０００４】
また、このような画像読取装置では、前記原稿からの反射光を偏向する第１ミラーを配置した第１走行体、第２ミラーからの光を更には偏向する第２ミラー、第３ミラーを配置した第２走行体を備え、前記第１走行体及び第２走行体が画像読取装置に設けられたレール上を走行することにより、原稿をスキャンする。画像読取装置では、第１走行体には、キセノンランプからの光を反射して照度分布の適正化を図るため、及び、切り貼り原稿読取時の影をなくすための反射板を備える。図１４は従来の照明装置を示す模式図である。照明装置の第１走行体１０３は、コンタクトガラス１０２の下方に配置され、キセノンランプからなる光源１０４、原稿面での照度分布を良好なものにするための反射板３０１、原稿面での反射光をＣＣＤに導く第１ミラー（図示していない）を備えている。
【０００５】
特許文献１には、読取画像の画質の向上を図るため、発光機構と、所定の画像情報が記録された原稿に発光機構からの光を照射して得られる透過光又は反射光を検出して所定の画像情報を読み取る読取手段と、を有する画像読取装置において、発光機構は、複数の光源と、これら複数の光源から射出される光を混合して略同一方向への射出光を形成する光混合手段と、光混合手段によって混合された光を原稿側に集束させる光集束手段とを備えるものが記載されている。
【０００６】
また、特許文献２には、原稿の画像面に光を照射する光源の原稿の画像面に対向しない側に、導光体の一方の端面を近接配置し、導光体の他方の端面は、画像面における光源が直接照らす位置へ向け、導光体の一方の端面からは、光源の画像面に向かわない光が入射し、この光は、導光体内を伝搬して、他方の端面から射出し、画像面を照らし、これにより、画像面を照らす光量を増加し、画像面を２方向から照らすことができるものが記載されている。
【特許文献１】特開２００３−２４８２７４号公報
【特許文献２】特開平１１−３１７８４２号公報
【０００７】
近年、画像読取装置における光源には、立ち上がり時間の短縮化、省エネルギー化、長寿命化が要望されており、キセノンランプの代替光源として発光ダイオード（ＬＥＤ）を採用するものが実用化されてきている。ＬＥＤを縮小光学系に採用する場合、等倍光学系に比べて原稿面から撮像素子までの距離が長いためその間での光の減衰が大きくなり、そのため、より高い原稿面照度が必要となる。そこで、複数のＬＥＤを主走査方向にアレイ状に列状に配置し、原稿面での照度を上げるような試みがなされている。
【０００８】
このようなＬＥＤを使用した照明装置について説明する。図１５はＬＥＤ光源を使用した照明装置の構成を示す概略図であり、（ａ）は側面図、（ｂ）は斜視図である。照明装置は、図１２（ｂ）に示すように、複数のＬＥＤ発光素子４０１を並べたＬＥＤアレイ４０２を用いたものを光源として配置するようにしている。ここで、ＬＥＤアレイ４０２を使用する場合には、原稿面で副走査方向の良好な照度分布を得るため、キセノンランプ同様、発光面を原稿面に対し傾けた状態に配置するようにしている。
【発明の開示】
【発明が解決しようとする課題】
【０００９】
ところで、原稿に光を照射し、その拡散反射光の一部を結像させて画像を読み取る画像読取装置においては、原稿面の画像読取位置以外の場所に光が照射されると、その光が原稿面で反射した後、撮像素子面に到達してしまい、原稿を忠実に読み取れなくなってしまう。そのため、原稿面で極力良好な照度分布を得るため、光源の発光面を原稿面に対し傾けて配置したり、光源の光軸に対する対面に反射板を設けたりするなどの工夫がなされている。
【００１０】
また、例えば原稿がコンタクトガラスから浮いた場合などには、その原稿の浮いた角度と、光源からの入射光の角度により、意図しない正反射光が撮像素子に入り込む現象が発生する。この現象は、光源がキセノンランプのように面発光で、主走査方向に略均一な拡散光を射出できる場合には、画像上に本来の画像より明るい帯状の領域ができるのに対し、ＬＥＤアレイのように点光源が主走査方向に複数並んだ光源の場合には、配置しているＬＥＤと同数の明るい領域が点状に現れることになり、特にＬＥＤの場合には指向性が高い光源であるため、画像への影響が大きくなる。
【００１１】
本発明は、このような背景に鑑みてなされたものであり、点光源を主走査方向にアレイ状に並べた光源の場合でも、原稿面で良好な照度分布を得ること、及び、正反射光が撮像素子に入った際に画像が劣化することを低減させて、良好な画像を得ることを目的とする。
【課題を解決するための手段】
【００１２】
請求項１の発明は、列設された複数個の発光素子を備え、直線状の照明領域を照明する発光素子アレイを、その光照射光軸が前記照明領域の上の点Ｃで交差するように照明領域を挟んで２台配置することを特徴とする照明装置である。
【００１３】
請求項２の発明は、請求項１記載の照明装置において、前記発光素子の発光面と前記照明領域との間に、前記発光面の光射出側に突出し、且つ、前記発光素子からの光束のうち、すくなくとも一部を遮る遮光部材を配置したことを特徴とする。
【００１４】
請求項３の発明は、請求項２記載の照明装置において、前記遮光部材は、前記列設された発光素子上と該発光素子のピッチ間で、形状を変化させていることを特徴とする。
【００１５】
請求項４の発明は、請求項２又は３記載の照明装置において、前記遮光部材は、原稿面に対し、傾いた角度で配置されていることを特徴とする。
【００１６】
請求項５の発明は、照明装置において、前記遮光部材の発光素子側の面を前記発光素子からの発光色の補色とすることを特徴とする請求項２乃至４のいずれか記載のである。
【００１７】
請求項６の発明は、請求項２乃至４のいずれか記載の照明装置において、前記遮光部材の照明領域側の面を前記発光素子からの発光色の補色とすることを特徴とする。
【００１８】
請求項７の発明は、請求項４乃至６のいずれか記載の照明装置において、前記遮光部材が、前記発光素子と接していることを特徴とする。
【００１９】
請求項８の発明は、請求項１乃至７のいずれかに記載の照明装置を備えることを特徴とする画像読取装置である。
【発明の効果】
【００２０】
本発明によれば、点光源を主走査方向にアレイ状に並べた光源の場合でも、原稿面で良好な照度分布を得ること、及び正反射光が撮像素子に入った際に画像が劣化することを低減させることで、良好な画像を得ることができるという効果がある。
【発明を実施するための最良の形態】
【００２１】
以下本発明を実施するための最良の形態としての実施例を図面に基づいて説明する。
【実施例】
【００２２】
以下、実施例に係る画像形成装置について説明する。図１は実施例に係る画像形成装置の構成を示す概略断面図である。画像形成装置１０は、原稿を読み取る画像読取装置１０１、画像を形成する画像形成部１２、自動原稿搬送装置（ＡＤＦ）１３、ＡＤＦ１３から送り出される原稿をスタックする原稿排紙トレイ１４、給紙カセット１５乃至１８を備える給紙部１９、記録用紙をスタックする排紙トレイ２０を備えている。
【００２３】
ＡＤＦ１３の原稿台２１上に原稿Ｄをセットして、図示せぬ操作部で例えばプリントキーの押下操作をすると、最上位の原稿Ｄがピックアップローラ２２の回転により矢印Ｂ１方向へ送り出され、原稿搬送ベルト２３の回転により、画像読取装置１０１に固定されたコンタクトガラス１０２上へ給送され、そこで停止する。コンタクトガラス１０２上に載置された原稿Ｄの画像は、画像形成部１２とコンタクトガラス１０２の間に位置する画像読取装置１０１によって読み取られる。画像読取装置１０１は、コンタクトガラス１０２上の原稿Ｄを照明するＬＥＤアレイ４０２を含んだ照明装置と１枚のミラーを備えた第１走行体１０３、原稿画像を変向するための２枚のミラーを備えた第２走行体１０６を備えている。また、画像読取装置１０１には、レンズ１０９、原稿画像を結像させるＣＣＤ等からなるラインイメージセンサ１１０を備える。画像読み取り終了後、原稿Ｄを原稿搬送ベルト２３の回転により矢印Ｂ２方向へ搬送して原稿排紙トレイ１４上へ排出する。このように、原稿Ｄを１枚ずつコンタクトガラス１０２上へ給送して原稿画像を画像読取装置１０１によって読み取る。
【００２４】
一方、画像形成部１２の内部には、像担持体である感光体３０が配置してある。感光体３０は、図において時計方向に回転駆動し、帯電装置３１によって表面を所定の電位に帯電させる。また、書き込みユニット３２からは、画像読取装置１０１によって読み取った画像情報に応じて光変調したレーザ光Ｌを照射し、帯電させた感光体３０の表面をこのレーザ光Ｌで露光し、これによって感光体３０の表面に静電潜像を形成する。この静電潜像は、現像装置３３を通るとき、対向する転写装置３４によって感光体３０と転写装置３４の間に給送された記録媒体Ｐに転写する。トナー像転写後の感光体３０の表面は、クリーニング装置３５によって清掃する。
【００２５】
画像形成部１２の下部に配置した複数の給紙カセット１５乃至１８には、紙等の記録媒体Ｐを収容してあり、いずれかの給紙カセット１５乃至１８から記録媒体Ｐを矢印Ｂ３方向へ送り出し、その記録媒体Ｐの表面に、上述のように感光体３０の表面に形成したトナー像を転写する。次に、記録媒体Ｐを矢印Ｂ４で示すように画像形成部１２内の定着装置３６を通し、熱と圧力の作用によって記録媒体Ｐの表面に転写されたトナー像を定着させる。定着装置３６を通った記録媒体Ｐを排出ローラ対３７によって搬送し、矢印Ｂ５で示すように排紙トレイ２０へ排出し、スタックする。
【００２６】
次に実施例に係る画像読取装置について説明する。図２は図１に示した画像読取装置の構成を示す拡大断面図、図３は図１に示した画像読取装置の斜視図である。この画像読取装置１０１は、ＬＥＤアレイ４０２を備えた光源１０４及び両端支持された第１ミラー１０５を備えた第１走行体１０３、同様に両端支持された第２ミラー１０７、第３ミラー１０８を備えた第２走行体１０６、及び、原稿の反射光をＣＣＤ等の撮像素子であるラインイメージセンサ１１０、ラインイメージセンサ１１０上に結像させるレンズ１０９を備えている。そして画像読取装置１０１は、ホストコンピュータから送られてくる１ライン毎の画像読取要求の信号に応じて、第１走行体１０３及び第２走行体１０６をそれぞれ２：１の速度で原稿に沿って移動させ逐次画像の読取を行うよう構成されている。
【００２７】
これにより、コンタクトガラス１０２上の原稿Ｄが光学的に走査される。即ちコンタクトガラス１０２上の原稿Ｄが光源１０４のＬＥＤアレイ４０２により照明されて、その反射光像が第１ミラー１０５、第２ミラー１０７、第３ミラー１０８を介してレンズ１０９に導かれ、レンズ１０９によりラインイメージセンサ１１０上に結像される。
【００２８】
このラインイメージセンサ１１０は、結像された原稿Ｄの反射光像を光電変換してアナログ画像信号とし、原稿の読み取りを行う。そして、原稿Ｄの読み取り終了後に、第１走行体１０３と第２走行体１０６とはホームポジション位置に復動する。なお、撮像素子から出力されたアナログ画像信号は、アナログ／デジタル変換器によりデジタル画像信号に変換され、画像処理回路を搭載した回路基板において、各々の画像処理（２値化、多値化、階調処理、変倍処理、編集処理など）が施される。
【００２９】
以下本発明の実施例に係る照明装置について説明する。本例では、光源として複数のＬＥＤ発光素子７０１ａ，７０１ｂを並べたＬＥＤアレイ７０２ａ，７０２ｂを用いる。図４は照明装置の不具合を説明する図であり、(ａ)は照明装置の概略断面図、（ｂ）は照明装置の照度の分布を示すグラフである。ここで、照明装置に１台のＬＥＤアレイ４０２と反射板３０１とを使用する場合についてみると、原稿面で副走査方向の良好な照度分布Ｉを得るため、図４（ａ）に示すように、発光面を原稿面に対し傾けた状態に配置する。このような場合、原稿面での副走査方向の照度分布は、反射板３０１を使用した場合でも、照度を確保することができない。４０２による照度のグラフを示しており、原稿面での照度Ｉは、ＬＥＤアレイ４０２からの直接光によるものＩａと、反射板３０１による反射光によるものＩｂとが合成されたものとなる。
【００３０】
図５は第１の実施例に係る照明装置を示す図であり、(ａ)は照明装置の概略断面図、（ｂ）は照明装置による照度分布を示すグラフである。本例では、２台のＬＥＤアレイ７０２ａ，７０２ｂを配置している。ＬＥＤアレイ７０２ａ，７０２ｂは、照明領域を挟んで２台配置され、各発光素子アレイをその光照射光軸Ｏａ，Ｏｂが前記照明領域の上の点Ｃで交差するようにされている。即ち、ＬＥＤアレイ７０２ａ，７０２ｂは、ラインイメージセンサ１１０の主走査方向に延設される読取軸ｘを挟んで対称に配置される。本例によれば、図５（ｂ）に示すように、良好な照度分布２台のＬＥＤアレイ７０２ａの照度Ｉａと、ＬＥＤアレイ７０２ｂの照度Ｉｂを合成した照度Ｉを得ることができる。このため、原稿の浮きがあった場合でも、再現性が良い画像読取装置を提供することができる。
【００３１】
次に、第２の実施例について説明する。原稿面での副走査方向の照度分布は、理想的には図６に示すように、原稿面の画像読取位置のみに光が照射されることが望ましい。図６では照明装置として１台のＬＥＤアレイ４０２を使用している場合を示している。しかし、実際には、十分な光量を得るため、原稿面操作領域の主走査方向の読取軸ｘに対向させて２台のＬＥＤアレイ７０２ａ，７０２ｂを配置した場合にも原稿面での副走査方向の照度分布は、画像読取位置以外の領域にもわたることになる。
【００３２】
図７は、第２の実施例に係る照明装置を示す図であり、(ａ)は照明装置の概略断面図、（ｂ）は照明装置による照度分布を示すグラフである。本例では、照明装置は、図７（ａ）に示すように、ＬＥＤ発光素子７０１ａ，７０１ｂの上方に遮光部材６０１ａ，６０１ｂを照明領域の下方に所定の間隔を開けて配置し、副走査方向において照明領域を制限するようにした。本例によれば、図７（ｂ）に示すように、ＬＥＤアレイ７０２ａ，７０２ｂからの照射光は、遮光部材６０１ａ，６０１ｂで遮蔽され、原稿面の副走査方向に対して必要な領域だけを照明することができる。
【００３３】
なお、本実施例では、遮光部材６０１を、原稿が配置されるコンタクトガラス１０２の面に対して傾いた角度で配置することができる。図８は第２の実施例の変形例に係る照明装置を示す図であり、（ａ）は遮光部材を傾斜させない場合の光束の射出状態を示す概略断面図、（ｂ）は遮光部材を傾斜させた場合を示す概略断面図である。図８（ａ）に示すように、コンタクトガラス１０２と遮光部材６０１ａ，６０１ｂとが平行に配置された場合には、原稿面での反射光９０１が、遮光部材６０１ａ，６０１ｂの上面に反射し、その反射光が更に原稿面に向けて再反射するため、不要な光が多くなってしまい、意図しない光が撮像素子に到達する可能性が高くなる。
【００３４】
これに対し、図８（ｂ）に示すように、遮光部材６０１ａ，６０１ｂを原稿が配置されたコンタクトガラス１０２に対し角度を持って配置すると、遮光部材６０１ａ，６０１ｂの上面で反射した光が原稿面に返らないため、原稿面への再反射を防止することができ、意図しない光が撮像素子に到達する可能性を低減させることができる。
【００３５】
次に第３の実施例について説明する。図９は照明装置の主走査方向の照度分布を示す図であり、(ａ)はキセノンランプを使用した照明装置、（ｂ）はＬＥＤアレイを使用した照明装置を示す図である。図９（ａ）に示すように、キセノンランプ１０４を使用した照明装置では、面発光で主走査方向に略均一な拡散光を射出できるのに対して、図９（ｂ）、図１０(ａ)に示すように、点発光であるＬＥＤを主走査方向に並べて配置したＬＥＤアレイ４０２を使用した場合には、主走査方向にＬＥＤ発光素子４０１のピッチに相当したリップル状の照度むらが現れる。
【００３６】
このような状態では、例えば白に挟まれた小さい黒ベタ部を持つ画像を読み取ると、画像読取位置以外にある白部の原稿に反射した光がＣＣＤに入ってしまい、黒ベタ部の出力値が上がってしまう。そのため、黒ベタを忠実に再現できないことになる。
【００３７】
そこで、本実施例では、ＬＥＤと原稿面の間に、ＬＥＤの光射出側に突出し、且つ、ＬＥＤの光束の一部を遮る遮光部材６０１を配置した。図１０は第３の実施例に係る照明装置を示す図であり、（ａ）は遮光部材を配置しない場合の光束の射出状態を示す斜視図、（ｂ）は遮光部材を配置した場合の光束の射出状態を示す斜視図である。本例では、第１走行体１０３には、上記例と同様に、ＬＥＤアレイは対称に２台配置されているが、２台のＬＥＤアレイ７０２ａ，７０２ｂは同一の構成を備えるので、ＬＥＤアレイ７０２ｂだけを示す。
【００３８】
前記遮光部材６０１は、ＬＥＤ発光素子７０１ｂと原稿が配置されるコンタクトガラス１０２との間に、ＬＥＤ発光素子４０１のレーザ光Ｌの射出側に突出し、且つ、レーザ光Ｌの一部を遮る。また、遮光部材６０１はその形状を発光素子の配置位置に対応して光射出方向への突出量を変化させている。即ち遮光部材６０１ａ，６０１ｂの縁部は、前記列設されたＬＥＤ発光素子７０１ａ，７０１ｂの発光面に対応する位置での突出寸法ｄ１を隣接する発光素子の間部分に対応する位置での突出寸法ｄ２より大きく形成している。このため、遮光部材６０１ａ，６０１ｂの縁部には凸部６０２と凹部６０３とが形成され、ＬＥＤ発光素子７０１ａ，７０１ｂの発光面の上部でレーザ光Ｌを遮る。
【００３９】
本例によれば、図１０（ａ）に示したように、ＬＥＤアレイ７０２ａ，７０２ｂによる照度むら（図中照度の分布を曲線で示した）と、遮光部材６０１ａ，６０１ｂの凸部６０２、凹部６０３による遮光量とが打ち消しあい、図１０（ｂ）の照度分布を示す曲線に示すように照度むらを低減させることができる。なお、この遮光部材６０１ａ，６０１ｂの凸部６０２、凹部６０３の形状は、ＬＥＤアレイの照度分布等により決定する。
【００４０】
次に本発明の第４の実施例について説明する。図１１は本発明の第４の実施例に係る照明装置を示す図であり、（ａ）は照明装置の概略断面図、（ｂ）は照明装置の斜視図である。本実施例では、前記遮光部材６０１ａ，６０１ｂにおけるＬＥＤ発光素子７０１ａ、７０１ｂ側の面１００１ａ，１００１ｂの色を、ＬＥＤ発光素子７０１ａ，７０１ｂの発光色の補色にしたものである。例えば、ＬＥＤ発光素子７０１ａ，７０１ｂの発光色が赤である場合には、面１００１ａ，１００１ｂの色を緑にする。本実施例によれば、遮光部材６０１でレーザ光Ｌを遮光するに際して、ＬＥＤ発光素子７０１ａ，７０１ｂからのレーザ光Ｌを効率よく吸収できるため、遮光部材６０１ａ，６０１ｂでの反射光が撮像素子に到達する可能性を低減させることができる。このように、遮光部材６０１におけるＬＥＤ発光素子側の面の色をＬＥＤ発光素子の発光色の補色とする構成は、前記第１乃至第３の実施例に適用することができる。
【００４１】
次に本発明の第５の実施例について説明する。図１２は本発明の第５の実施例に係る照明装置を示す図であり、（ａ）は照明装置の概略断面図、（ｂ）は照明装置の斜視図である。本実施例では、照明装置は、遮光部材６０１ａ，６０１ｂにおける原稿面側の面１１０１ａ，１１０１ｂの色を、ＬＥＤ発光素子７０１ａ，７０１ｂの補色にしたものである。例えば、ＬＥＤ発光素子７０１ａ，７０１ｂの発光色が赤である場合には、面１１０１ａ，１１０１ｂの色を緑にする。本実施例によれば、原稿面からの反射光を遮光部材で吸収できるため、遮光部材での反射光がＣＣＤ面に到達する可能性をより低減させることが可能となる。このように、遮光部材のＬＥＤ発光素子側と反対側の面の色をＬＥＤ発光素子の発光色の補色とする構成は、前記第１乃至第４の実施例に適用することができる。
【００４２】
次に本発明の６の実施例について説明する。図１３は本発明の第６の実施例に係る照明装置を示す概略断面図である。本実施例では、照明装置は、遮光部材６０１ａ，６０１ｂをアルミニウムやアルミニウム合金等の金属製とし、ＬＥＤ発光素子７０１ａ，７０１ｂの上面に接触させて固定したものである。本実施例によれば、ＬＥＤ発光素子７０１ａ，７０１ｂが発生した熱を遮光部材６０１ａ，６０１ｂで放熱することができるので、温度変化によるＬＥＤ発光素子７０１ａ，７０１ｂの色度変化も同時に抑えられ、より良好な画像を得ることができる。このように、遮光部材６０１ａ，６０１ｂを金属製とし、ＬＥＤ発光素子７０１ａ，７０１ｂに密着して固定する構成は、前記第１乃至第５の実施例に適用することができる。
【図面の簡単な説明】
【００４３】
【図１】実施例に係る画像形成装置の構成を示す概略断面図である。
【図２】図１に示した画像読取装置の構成を示す拡大断面図である。
【図３】図１に示した画像読取装置の斜視図である。
【図４】図４は照明装置の不具合を説明する図であり、(ａ)は照明装置の概略断面図、（ｂ）は照明装置の照度の分布を示すグラフである。
【図５】第１の実施例に係る照明装置を示す図であり、(ａ)は照明装置の概略断面図、（ｂ）は照明装置による照度分布を示すグラフである。
【図６】理想的な照度分布を示す図である。
【図７】第２の実施例に係る照明装置を示す図であり、(ａ)は照明装置の概略断面図、（ｂ）は照明装置による照度分布を示すグラフである。
【図８】第２の実施例の変形例に係る照明装置を示す図であり、（ａ）は遮光部材を傾斜させない場合の光束の射出状態を示す概略断面図、（ｂ）は遮光部材を傾斜させた場合を示す概略断面図である。
【図９】照明装置の主走査方向の照度分布を示す図であり、(ａ)はキセノンランプを使用した照明装置、（ｂ）はＬＥＤアレイを使用した照明装置を示す図である。
【図１０】第３の実施例に係る照明装置を示す図であり、（ａ）は遮光部材を配置しない場合の光束の射出状態を示す斜視図、（ｂ）は遮光部材を配置した場合の光束の射出状態を示す斜視図である。
【図１１】第４の実施例に係る照明装置を示す図であり、（ａ）は照明装置の概略断面図、（ｂ）は照明装置の斜視図である。
【図１２】第５の実施例に係る照明装置を示す図であり、（ａ）は照明装置の概略断面図、（ｂ）は照明装置の斜視図である。
【図１３】第６の実施例に係る照明装置を示す概略断面図である。
【図１４】図１４は従来の照明装置を示す模式図である。
【図１５】ＬＥＤ光源を使用した照明装置の構成を示す概略図であり、（ａ）は側面図、（ｂ）は斜視図である。
【符号の説明】
【００４４】
１０  画像形成装置
１２  画像形成部
１３  自動原稿搬送装置（ＡＤＦ）
１４  原稿排紙トレイ
１５〜１８  給紙カセット
１９  給紙部
２０  排紙トレイ
２１  原稿台
２２  ピックアップローラ
２３  原稿搬送ベルト
３０  感光体
３１  帯電装置
３２  書き込みユニット
３３  現像装置
３４  転写装置
３５  クリーニング装置
３６  定着装置
３７  排出ローラ対
１０１  画像読取装置
１０２  コンタクトガラス
１０３  第１走行体
１０４  光源
１０５  第１ミラー
１０６  第２走行体
１０７  第２ミラー
１０８  第３ミラー
１０９  レンズ
１１０  ラインイメージセンサ
３０１  反射板
４０１  ＬＥＤ発光素子
４０２  ＬＥＤアレイ
６０１  遮光部材
６０１ａ，６０１ｂ  遮光部材
６０２  凸部
６０３  凹部
７０１ａ，７０１ｂ  ＬＥＤ発光素子
７０２ａ，７０２ｂ  ＬＥＤアレイ
９０１  反射光
１００１ａ，１００１ｂ  面
１１０１ａ，１１０１ｂ  面
【図１】
2008191194.tif 000003
【図２】
2008191194.tif 000004
【図３】
2008191194.tif 000005
【図４】
2008191194.tif 000006
【図５】
2008191194.tif 000007
【図６】
2008191194.tif 000008
【図７】
2008191194.tif 000009
【図８】
2008191194.tif 000010
【図９】
2008191194.tif 000011
【図１０】
2008191194.tif 000012
【図１１】
2008191194.tif 000013
【図１２】
2008191194.tif 000014
【図１３】
2008191194.tif 000015
【図１４】
2008191194.tif 000016
【図１５】
2008191194.tif 000017